(57)【要約】【課題】  入浴準備が、手際よく手数を少なくして行なえる移動式浴槽システムを提供することである。【解決手段】  浴槽（２）と、浴槽（２）を載設し移動する搬送車（３）と、搬送車（３）とは別体に設けられ浴槽（２）に湯を注ぐ貯湯機構（４）とからなり、前記貯湯機構（４）は、新湯を貯め、又は浴槽（２）から回収した使用済湯を貯め、それらの貯湯を浴槽（２）へ注ぐものであり、搬送車（３）に、浴槽（２）の上に位置する担架（１１）と、昇降機（１２）とが付加設置され、昇降機（１２）は、復元力を有するバネ部材（１５）と、バネ部材（１５）の作用をロック又はロック解除するロック機構（１６）とでなり、昇降機（１２）は浴槽（２）を昇降させ、その昇降により担架（１１）は浴槽（２）内へ進退する移動式浴槽システムである。【選択図】      図１
2007175241.tif 000002
【特許請求の範囲】
【請求項１】
浴槽（２）と、浴槽（２）を載設し移動する搬送車（３）と、搬送車（３）とは別体に設けられ浴槽（２）に湯を注ぐ貯湯機構（４）とからなり、
前記貯湯機構（４）は、新湯を貯め、又は浴槽（２）から回収した使用済湯を貯め、それらの貯湯を浴槽（２）へ注ぐものであることを特徴とする移動式浴槽システム。
【請求項２】
搬送車（３）に、浴槽（２）の上に位置する担架（１１）と、昇降機（１２）とが付加設置され、
昇降機（１２）は、復元力を有するバネ部材（１５）と、バネ部材（１５）の作用をロック又はロック解除するロック機構（１６）とでなり、
昇降機（１２）は浴槽（２）を昇降させ、その昇降により担架（１１）は浴槽（２）内へ進退し、
更に、昇降機（１２）は、浴槽（２）をバネ部材（１５）の復元力で上方に付勢し、浴槽（２）を上昇させ、又は浴槽（２）の重量と均衡して浴槽（２）の昇降をアシストすることを特徴とする請求項１記載の移動式浴槽システム。
【請求項３】
搬送車（３）に、浴槽（２）の上に位置する担架（１１）と、昇降機（１２）とが付加設置され、
昇降機（１２）は、復元力を有するバネ部材（１５）と、バネ部材（１５）の作用をロック又はロック解除するロック機構（１６）とでなり、
昇降機（１２）は担架（１１）を昇降させ、その昇降により担架（１１）は浴槽（２）内へ進退し、
更に、昇降機（１２）は、入浴者が乗った担架（１１）をバネ部材（１５）の復元力で上方に付勢し、前記担架（１１）の重量と均衡して担架（１１）の昇降をアシストすることを特徴とする請求項１記載の移動式浴槽システム。
【請求項４】
浴槽（２）を収納する収納装置（２８）が搬送車（３）とは別体に設置され、
収納装置（２８）は、搬送車（３）を装着することができる装着具（３０）と、装着具（３０）を昇降させる駆動機（３１）とからなり、
搬送車（３）の縁部に横フレーム（９）が設けられ、
装着具（３０）は、横フレーム（９）を吊り上げ搬送車（３）と共に浴槽（２）を水平の使用姿勢から略垂直の収納姿勢に変更することを特徴とする請求項１記載の移動式浴槽システム。
【請求項５】
浴槽（２）の縁部に装着具（３０）に掛け止められる引掛受具（４７）が設けられ、浴槽（２）の側部に浴槽（２）を上下方向に平行移動させる平行保持機構（４８）が設けられ、
装着具（３０）は、引掛受具（４７）を掴んで浴槽（２）を昇降させ、その昇降により担架（１１）を浴槽（２）内へ進退させることを特徴とする請求項４記載の移動式浴槽システム。
【請求項６】
貯湯機構（４）は、湯を貯める貯湯槽（１７）と、新湯を貯湯槽（１７）へ注ぐ給湯器（１８）と、浴槽（２）の湯を貯湯槽（１７）へ取込む取込機構（２０）と、貯湯槽（１７）の湯を大容量に浴槽（２）へ注ぐ給湯機構（２２）とからなることを特徴とする請求項１乃至５のいずれかに記載の移動式浴槽システム。
【発明の詳細な説明】
【技術分野】
【０００１】
本発明は、介護を必要とする人（以下入浴者という）が入浴する時に使用される移動式浴槽システムに関する。
【背景技術】
【０００２】
従来の技術に挙げた入浴器具は、上部にストレッチャーを、下部に背もたれ窪みつきの浴槽を、リフトに取り付けてセットした構成である。
この構成では、強い力を必要とせず、しかも立ったままの入浴介護であり、腰を痛めることもなく、楽に入浴介護ができる。
【０００３】
しかし、上記入浴器具には、使用済の湯を再使用できず、又、リフトのハンドルを回転させて浴槽を上昇させる操作に、多くの時間と手数が掛かる、等の課題があった。
【特許文献１】実登３０２９３５７号公報
【発明の開示】
【発明が解決しようとする課題】
【０００４】
解決しようとする課題は、従来の入浴器具には、入浴準備に多くの時間と手数が掛かるという点である。
【課題を解決するための手段】
【０００５】
本発明の目的は、入浴準備が、手際よく手数を少なくして行なえる移動式浴槽システムを提供することである。
【０００６】
即ち本発明は、浴槽（２）と、浴槽（２）を載設し移動する搬送車（３）と、搬送車（３）とは別体に設けられ浴槽（２）に湯を注ぐ貯湯機構（４）とからなり、前記貯湯機構（４）は、新湯を貯め、又は浴槽（２）から回収した使用済湯を貯め、それらの貯湯を浴槽（２）へ注ぐものであることを特徴とする移動式浴槽システムである。
又、搬送車（３）に、浴槽（２）の上に位置する担架（１１）と、昇降機（１２）とが付加設置され、昇降機（１２）は、復元力を有するバネ部材（１５）と、バネ部材（１５）の作用をロック又はロック解除するロック機構（１６）とでなり、昇降機（１２）は浴槽（２）を昇降させ、その昇降により担架（１１）は浴槽（２）内へ進退し、更に、昇降機（１２）は、浴槽（２）をバネ部材（１５）の復元力で上方に付勢し、浴槽（２）を上昇させ、又は浴槽（２）の重量と均衡して浴槽（２）の昇降をアシストする。
或いは、昇降機（１２）は担架（１１）を昇降させ、その昇降により担架（１１）は浴槽（２）内へ進退し、更に、昇降機（１２）は、入浴者が乗った担架（１１）をバネ部材（１５）の復元力で上方に付勢し、前記担架（１１）の重量と均衡して担架（１１）の昇降をアシストする。
更に、浴槽（２）を収納する収納装置（２８）が搬送車（３）とは別体に設置され、収納装置（２８）は、搬送車（３）を装着することができる装着具（３０）と、装着具（３０）を昇降させる駆動機（３１）とからなり、搬送車（３）の縁部に横フレーム（９）が設けられ、装着具（３０）は、搬送車（３）の横フレーム（９）を吊り上げ搬送車（３）と共に浴槽（２）を水平の使用姿勢から略垂直の収納姿勢に変更する。
更に又、浴槽（２）の縁部に装着具（３０）に掛け止めることができる引掛受具（４７）が設けられ、浴槽（２）の側部に浴槽（２）を上下方向に平行移動させる平行保持機構（４８）が設けられ、
装着具（３０）は、引掛受具（４７）を掴んで浴槽（２）を昇降させ、その昇降により担架（１１）を浴槽（２）内へ進退させる。
又、貯湯機構（４）は、湯を貯める貯湯槽（１７）と、新湯を貯湯槽（１７）へ注ぐ給湯器（１８）と、浴槽（２）の湯を貯湯槽（１７）へ取込む取込機構（２０）と、貯湯槽（１７）の湯を大容量に浴槽（２）へ注ぐ給湯機構（２２）とからなる。
【発明の効果】
【０００７】
本発明は、浴槽２と、浴槽２を載設し移動する搬送車３と、搬送車３とは別体に設けられ浴槽２に湯を注ぐ貯湯機構４とからなり、前記貯湯機構４は、新湯を貯め、又は浴槽２から回収した使用済湯を貯め、それらの貯湯を浴槽２へ注ぐものであるから、小規模な老健施設で、簡便に使用でき、省スペース化でき、迅速に手際よく入浴準備ができ、好都合である。
又、浴槽２は移動式であるから、固定した場所を取らないので、どこでも移乗でき、収納することもでき、床面２７の掃除がし易く、好都合である。
【０００８】
本発明は、搬送車３に、浴槽２の上に位置する担架１１と、昇降機１２とが付加設置され、昇降機１２は、復元力を有するバネ部材１５と、バネ部材１５の作用をロック又はロック解除するロック機構１６とでなり、昇降機１２は浴槽２を昇降させその降昇により担架１１は浴槽２内へ進退し、ロック機構１６でロックを解除すると、浴槽２が、空の時には、バネ部材１５の復元力で上昇し、浴槽２が、満湯の時には、バネ部材１５の復元力に抗して下降するから、浴槽２の上昇操作はロック機構１６を解除するだけの簡単な操作で行なえ、浴槽２を短時間に円滑に所定の高さへ上昇でき、好都合である。
又、入浴状態時の入浴者の高さが所定の高さに一定であり腰を屈める必要は無いから介助し易く、好都合である。
又、入浴者は、昇降しないので恐怖心が起こすことはなく、又、入浴者を搬送車３に乗せた後浴槽２を上昇させて、入浴者を浴槽２で覆って搬送すれば、入浴者の羞恥心を減らすことができ、好都合である。
又、昇降機１２は、浴槽２をバネ部材１５の復元力で上方に付勢し、浴槽２の重量と均衡して浴槽２の昇降をアシストするものでは、軽微は労力で、容易に浴槽２を昇降させることができ、好都合である。
【０００９】
本発明に係る昇降機１２は担架１１の上昇を支援し、担架１１はその降昇により浴槽２内へ進退し、介助者は、ロック機構１６でロックを解除しておいて、昇降機１２の復元力に手動力を加えて、入浴者が乗った担架１１を昇降させる。
この構成によって、ロック機構１６を解除しておいて、昇降機１２の上方に向かう復元力を得て、昇降機１２と患者の乗った担架１１の重量と均衡させる。介助者による担架１１の下降・上昇操作は、少しの力で引き上げ又は引き下げるだけの簡単な操作で行なえ、担架１１を短時間に円滑に所定の高さへ上昇・下降でき、好都合である。
【００１０】
本発明は、浴槽２を収納する収納装置２８が搬送車３とは別体に設置され、収納装置２８は、搬送車３を装着することができる装着具３０と、装着具３０を昇降させる駆動機３１とからなり、搬送車３の一端を装着具３０で吊り上げ搬送車３と共に浴槽２を水平の使用姿勢から略垂直の収納姿勢に変更するものであるから、非使用時には、浴槽２を略垂直位の収納位置にすることにより、省スペース化が図れ、又、浴槽２の底に湯が残留せず清潔であり、好都合である。
【００１１】
本発明は、浴槽２の縁部に装着具３０に掛け止めることができる引掛受具４７が設けられ、浴槽２の側部に浴槽２を上下方向に平行移動させる平行保持機構４８が設けられ、装着具３０は、引掛受具４７を掴んで浴槽２を昇降させ、その昇降により担架１１を浴槽２内へ進退させるものである。
この構成は収納装置２８で浴槽２を昇降させるものであり、浴槽２を昇降させる昇降機１２を削減してコストダウンを図ることができ、好都合である。
【００１２】
本発明に係る貯湯機構４は、湯を貯める貯湯槽１７と、新湯を貯湯槽１７へ注ぐ給湯器１８と、浴槽２の湯を貯湯槽１７へ取込む取込機構２０と、貯湯槽１７の湯を大容量に浴槽２へ注ぐ給湯機構２２とからなるものであるから、浴槽２は、使用する湯を新湯とするか、使用済湯とするかの選択ができ、好都合である。
又、浴槽２への給湯は、貯湯槽１７へ貯めてある湯を大容量に移動させて行なうので、短時間で供給でき、好都合である。浴湯に使用済湯を再度使用する場合は、湯量及び熱量を節減でき、好都合である。
【発明を実施するための最良の形態】
【００１３】
入浴準備が、手際よく手数を少なくして行なえる目的を、浴槽２と、浴槽２を載設し移動する搬送車３と、搬送車３とは別体に設けられ浴槽２に湯を注ぐ貯湯機構４とからなり、前記貯湯機構４は、新湯を貯め、又は浴槽２から回収した使用済湯を貯め、それらの貯湯を浴槽２へ注ぐものであることを特徴とする移動式浴槽システムをもって、実現した。
【実施例１】
【００１４】
図１乃至３に本発明に係る移動式浴槽システム１の実施例１を示している。
実施例１は、浴槽２と、浴槽２を載設し移動する搬送車３と、搬送車３とは別体に設けられ浴槽２に湯を注ぐ貯湯機構４とからなる。
前記貯湯機構４は、新湯を貯め、又は浴槽２から回収した使用済湯を貯め、それらの貯湯を浴槽２へ注ぐものである。
【００１５】
浴槽２は容器であり、内部に湯を注いで入浴者の入浴に供するものである。底壁５の適宜位置に排水管６が設けられる。排水管６にはカプラ７が接続される。
【００１６】
搬送車３は、下フレーム８と、横フレーム９と、下フレーム８の下面に設けられる車輪１０とからなる。
搬送車３に、浴槽２の上に位置する担架１１と、昇降機１２とが付加設置される。
【００１７】
担架１１は、搬送車３に立設された縦フレーム１３と、縦フレーム１３と担架１１を繋ぐ上フレーム１４とで支持される。
【００１８】
昇降機１２は浴槽２を昇降させ、浴槽２の降昇により担架１１は浴槽２内へ進退する。
昇降機１２は、上方に向かう復元力を有するバネ部材１５と、バネ部材１５の作用をロック又はロック解除するロック機構１６とでなる。
バネ部材１５の復元力は、空の浴槽２の重量より大きいものとしているので浴槽２を上昇させることができる。
尚、他の実施例では、バネ部材１５の復元力を空の浴槽２の重量と同等にしバランスさせて、浴槽２の昇降を軽微な手動力で行なう。
又、昇降機１２は、バネ部材１５の代わりに、電動伸縮体（図示省略）又は油圧シリンダー（図示省略）を用いて構成してもよい。
【００１９】
浴槽２が下限位置にあって、浴槽２が空の時に、ロック機構１６でロックを解除すると浴槽２がバネ部材１５の復元力で上昇する。
浴槽２が上限位置にあって、浴槽２に湯が満ちている時に、ロック機構１６でロックを解除すると浴槽２が、湯の重量が加算されて重たくなっている故に、バネ部材１５の復元力に抗して下降する。
【００２０】
貯湯機構４は、湯を貯める貯湯槽１７と、新湯を貯湯槽１７へ注ぐ給湯器１８と、浴槽２の湯を貯湯槽１７へ取込む吸入ポンプ１９でなる取込機構２０と、貯湯槽１７の湯を大容量に浴槽２へ注ぐ給湯ポンプ２１でなる給湯機構２２と、台枠２３とからなる。
【００２１】
貯湯機構４には一方カプラ７ａが設けられ、浴槽２の排水管６に他方カプラ７ｂが設けられ、これら一方・他方カプラ７ａ・７ｂは連結できる。
吸入ポンプ１９と貯湯槽１７の間に濾過器２４が設けられる。
給湯口２５と給湯ポンプ２１の間に、湯に殺菌液を所定量注入する殺菌器２６が設けられる。
【００２２】
床面２７に、搬送車３を収納姿勢に変更する収納装置２８が搬送車３とは別体に付加設置される。
収納装置２８は、筐体２９と、筐体２９に昇降可能に保持され浴槽２を装着することができる装着具３０と、装着具３０を昇降させる駆動機３１とからなる。
【００２３】
駆動機３１は、筐体２９に支持されて垂直状に位置するネジ軸３２と、ネジ軸３２を回動させるモータ３３とからなる。
【００２４】
装着具３０は、雌ネジ部３４と、雌ネジ部３４に突設されるフック部３５とからなる。
下限位置にあるフック部３５の直上に、搬送車３を移動させ前記横フレーム９を位置させることができる。
装着具３０を上昇させると、前記横フレーム９が引き上げられ、搬送車３と共に浴槽２が水平の使用姿勢から略垂直の収納姿勢に変わる。
筐体２９の脚部３６には車輪１０の通路となる傾斜フレーム３７が設けられる。
図１中、３８は排水管６の下端に設けられる排水弁、４５は枕、４６は足受である。
【００２５】
本発明を使用する際は、先ず、貯湯槽１７に湯を貯める。搬送車３に形成された担架１１に入浴者を乗せる。入浴者を乗せた後、搬送車３を移動させ、入浴者を運ぶ。搬送車３を移動させ貯湯機構４に接近させる。
【００２６】
ロック機構１６を解除し、バネ部材１５の復元力で空の浴槽２を上昇させる。浴槽２が上限に至るとロックを掛ける。
浴槽２が上昇すると、担架１１及び入浴者は浴槽２の中に入る。
【００２７】
給湯ポンプ２１を駆動させ、貯湯槽１７の湯を、大容量に浴槽２へ移動させる。湯は僅かの時間（具体的には２０秒程度）で貯湯槽１７から浴槽２へ移動する。
殺菌器２６から所定量の殺菌液を流湯内に混入し、浴槽２内の湯の殺菌液濃度を所定濃度に確保する。
【００２８】
浴槽２へ湯を充満し入浴を行なう。
適宜な時間が経過すると、ロック機構１６を解除する。ロック機構１６が解除されると、浴槽２には湯が満ちていて重量が嵩んで重いため下降する。下降に伴い、湯面が下がり担架１１及び入浴者は湯から出る。
浴槽２が下限位置に至るとロックを掛ける。
入浴者を担架１１から降ろし、退浴する。
【００２９】
浴槽２の湯を再使用する場合は、浴槽２の使用済湯を吸入ポンプ１９で貯湯槽１７へ移動させ、貯湯槽１７に取り込み貯める。
取り込んだ湯は、これに給湯器１８の高温湯を適宜加えて加温し入浴に適する温度に維持し、次の入浴者に使用する。
尚、貯湯槽１７に電熱器（図示省略）を付加設置しその電熱器で加温するものとしてもよい。
浴槽２の湯を再使用しない場合は、排水弁３８を開けて排水し捨てる。次の入浴者には新湯を用いる。
【００３０】
入浴作業を終わり、浴槽２を収納する時は、搬送車３を収納装置２８に接近させる。フック部３５に横フレーム９を係合させておいて、モータ３３を駆動し、ネジ軸３２を回動させる。
ネジ軸３２を回動により雌ネジ部３４が上昇し、搬送車３と同時に浴槽２を吊り上げ、浴槽２を略垂直位置の収納状態に変更させる。
浴槽２を入浴に使用する時は、モータ３３を逆回転させ、フック部３５を下降させる。車輪１０が傾斜フレーム３７上を転動しつつ斜め下方向に移動し、浴槽２は略垂直状態から水平状態に戻る。浴槽２を床面２７上で移動させフック部３５から離し、使用できる位置に至らせる。
【実施例２】
【００３１】
図４に示す実施例２は、実施例１の昇降機１２を、浴槽２から除去し該昇降機１２を担架１１に装備したものである。
実施例２に係る搬送車３には、担架１１を昇降させる昇降機１２が付加設置される。
浴槽２は下フレーム８に固定状に載設される。
実施例２に係る昇降機１２は担架１１の上昇を支援するものであり、担架１１は降昇により浴槽２内へ進退する。
【００３２】
入浴者が乗った担架１１はバネ部材１５の復元力で上昇方向に付勢される。バネ部材１５の復元力は、入浴者の体重に担架１１の重量を加えた重量より大きく製作しており、入浴者の乗った担架１１を上昇させることができる。
【００３３】
介助者は、ロック機構１６でロックを解除しておいて、入浴時には、入浴者が乗った担架１１の適宜位置を掴んでバネ部材１５の復元力に抗して引き下げる。
又、退浴時には、入浴者が乗った担架１１の適宜位置を掴んでバネ部材１５の復元力の支援を受けながら引き上げる。
図４中、３９はスライド縦フレームである。
【実施例３】
【００３４】
図５に示す実施例３は、実施例１の昇降する浴槽２を、非昇降の扉付浴槽４０に代えたものである。
実施例３に係る扉付浴槽４０は、一側面に入浴者が出入りできる扉４１が設けられる。扉４１を閉めると扉付浴槽４０はその容器部分に付いて水密が図られる。
入浴の際は、ハンドル４２を引き、扉４１を手前に開ける。入浴者は扉付浴槽４０に入り、扉付浴槽４０の底壁５に座る。
【００３５】
扉４１を押し閉める。扉付浴槽４０に湯を注ぎ入浴を行なう。
退浴の際は、湯を扉付浴槽４０から排出し、扉付浴槽４０を空にしておいて、扉４１を開ける。入浴者は扉付浴槽４０から退出し、入浴を終わる。
図５中、４３は蝶番、４４は取手である。
【実施例４】
【００３６】
図６に示す実施例４は、実施例１の昇降機１２を削除し、浴槽２を収納装置２８で昇降させる構成に代えたものである。
実施例４では、浴槽２の縁部に装着具３０に掛け止めることができる引掛受具４７が設けられ、又、浴槽２の側部に浴槽２を上下方向に平行移動させる平行保持機構４８が設けられる。
収納装置２８の装着具３０は、引掛受具４７を掴んで浴槽２を昇降させる。引掛受具４７が昇降すると、平行保持機構４８が作用して、浴槽２を上下方向に平行移動させる。浴槽２の昇降により担架１１を該浴槽２内へ進退させる。
入浴の際は、装着具３０を上昇させ、浴槽２を上昇させ、該浴槽２に湯を注ぎ入浴を行なう。
退浴の際は、湯を浴槽２から排出し、浴槽２を空にしておいて、浴槽２を下降し、入浴者は浴槽２から退出し、入浴を終わる。
図６中、４９はローラー、５０は軸、５１はローラー保持レールである。
【産業上の利用可能性】
【００３７】
浴槽２と、浴槽２を載設し移動する搬送車３と、搬送車３とは別体に設けられ浴槽２に湯を注ぐ貯湯機構４とからなり、前記貯湯機構４は、新湯を貯め、又は浴槽２から回収した使用済湯を貯め、それらの貯湯を浴槽２へ注ぐ作用を有する構成が、入浴準備が手際よく手数を少なくして行なえる移動式浴槽システム１に適用できる。
【図面の簡単な説明】
【００３８】
【図１】本発明の実施例１の右側面図である。
【図２】本発明の実施例１に係る浴槽が上昇した右側面である。
【図３】本発明の実施例１に係る浴槽が収納位置にある右側面図である。
【図４】本発明の実施例２の右側面図である。
【図５】本発明の実施例３の右側面図である。
【図６】本発明の実施例４の右側面図である。
【符号の説明】
【００３９】
１  移動式浴槽システム
２  浴槽
３  搬送車
４  貯湯機構
９  横フレーム
１１  担架
１２  昇降機
１５  バネ部材
１６  ロック機構
２８  収納装置
３０  装着具
３１  駆動機
４７  引掛受具
４８  平行保持機構
【図１】
2007175241.tif 000003
【図２】
2007175241.tif 000004
【図３】
2007175241.tif 000005
【図４】
2007175241.tif 000006
【図５】
2007175241.tif 000007
【図６】
2007175241.tif 000008